(57)【要約】      （修正有）【課題】商品に触れ易い、真近で見られるという要求を満たす一方で、簡単には万引き出来ないという陳列装置の提供。【解決手段】腕時計等を支承する支承部材１に係合部が突設されている。少なくともその一方は押圧された分、支承部材の端部に向って後退する。一対を成す二つのブラケット３，４は支承部材の幅と同じ距離だけ離間して配置される。これらには保持孔６が穿設されている。支承部材の左側の係合部を左側ブラケット３の保持孔に嵌入する。次いで右側の係合部を押圧し、それが支承部材端部に向って後退させられた状態で、支承部材をブラケットの間に挿入して行く。その過程で後退させられていた係合部が右側ブラケット４の保持孔に嵌入される。これで支承部材が一対のブラケットに保持される。【選択図】図１
0003121160.tif 000002
【実用新案登録請求の範囲】
【請求項１】
陳列物を支承する支承部材と、
該支承部材を保持する一対のブラケットとを有し、
該一対を成す二つのブラケットは支承部材の幅と同じ距離だけ離間して配置され、
前記支承部材の両端には係合部が突設されていて、
少なくともその一方は押圧された分、支承部材の端部に向って後退するものであり、
前記各ブラケットには前記係合部が嵌入される保持孔が穿設されており、
前記後退可能な係合部とは反対側の係合部が前記ブラケットの一方の保持孔に嵌入され、
次いで前記後退可能な係合部が押圧され支承部材端部に向って後退させられた状態で前記支承部材がブラケットの間に挿入されて行き、
その過程で該後退させられていた係合部が前記ブラケットの他方の保持孔に嵌入され、
前記支承部材が前記一対のブラケットに保持される
ことを特徴とする陳列装置。
【請求項２】
前記係合部及び保持孔が多角形である
ことを特徴とする請求項1に記載の陳列装置。
【考案の詳細な説明】
【技術分野】
【０００１】
本考案は、陳列装置に関し、特に陳列商品の万引き防止に好適な陳列装置に関する。
【背景技術】
【０００２】
店舗に於て腕時計等の比較的小さな商品を陳列する場合、そこには一つのジレンマがある。即ち、顧客の購買意欲を高める為には、なるべく商品に触ったり、真近で見たり出来るようにしておいた方が良い。その一方で、簡単にポケットに入れて万引き出来るようでは困るからである。
このようなジレンマを解決しようとする考案の一つとして下記公報記載のものがある。
【特許文献１】登録実用新案公報第３０５０３０２号
【考案の開示】
【考案が解決しようとする課題】
【０００３】
上記考案は、主としてブリスターパックで包装された商品の吊下陳列用に適する。本願考案は、これとは別の形状の商品、特に腕時計の如き形状の商品について、上記陳列に関するジレンマ（課題）を解決しようとするものである。
【課題を解決するための手段】
【０００４】
上記課題解決のため請求項1の考案では、陳列物を支承する支承部材と、該支承部材を保持する一対のブラケットとを有し、該一対を成す二つのブラケットは支承部材の幅と同じ距離だけ離間して配置され、前記支承部材の両端には係合部が突設されていて、少なくともその一方は押圧された分、支承部材の端部に向って後退するものであり、前記各ブラケットには前記係合部が嵌入される保持孔が穿設されており、前記後退可能な係合部とは反対側の係合部が前記ブラケットの一方の保持孔に嵌入され、次いで前記後退可能な係合部が押圧され支承部材端部に向って後退させられた状態で前記支承部材がブラケットの間に挿入されて行き、その過程で該後退させられていた係合部が前記ブラケットの他方の保持孔に嵌入され、前記支承部材が前記一対のブラケットに保持される。
請求項２の陳列装置では、請求項1にいう係合部及び保持孔が多角形とされている。
【考案の効果】
【０００５】
本考案陳列装置では、商品、例えば腕時計は、ベルトの部分が支承部材に外嵌される。この支承部材がブラケットに保持される。従って、顧客は真近に商品を見ることができ、自由に商品に触れることができる。
このとき、支承部材の係合部はブラケットに隠されて良く見えない。従って、お店の人なら構造を知っていて脱着が容易で、陳列作業等に支障は出ない。その一方で、部外者には支承部材の外し方が直ぐには判らない状態に出来る。
ここに言う、直ぐには判らないということが重要である。これだけで万引きがかなり防止される。即ち、本願考案により、上記商品陳列に関するジレンマが解消される。
なお、請求項1にいう係合部及び保持孔を多角形にすると、ブラケットに保持された支承部材の回動が阻止される。これにより、例えば支承された腕時計の文字盤が下を向いてしまうというような不具合が防止される。
【考案を実施するための最良の形態】
【０００６】
以下、本考案の詳細を図示実施の形態例の陳列装置２０に基いて説明する。図１に陳列装置２０の斜視を示す。図２に陳列装置２０の右側面を示す。図３に支承部材１の斜視を示す。図４に支承部材１の右端付近の中央縦断面を示す。
これら図に於て、２は土台である。土台２の両端には、左側ブラケット３、右側ブラケット４が立設されている。これら一対を成すブラケット３,４は支承部材１の幅と同じ距離だけ離間されている。また、上下方向には所定間隔で四角形の保持孔６が穿設されている。
【０００７】
支承部材１の両端には、四角形の係合部７ａ，７ｂが突設されている。これら係合部７ａ，７ｂの四角形は、ブラケット３,４の保持孔６に丁度嵌入する形状とされている。そして、押圧されると、その分、支承部材１の端部に向って後退する。
右側の係合部７ａ付近の中央縦断面を図４に示す。図４に於て、８は円筒で、支承部材１の言わば本体と言える。円筒８の外周にはスポンジシート９が貼着されている。１０はカップ状部材で、円筒８の端部に嵌入されている。１１は蓋で、円筒８及びカップ状部材１０の開口を塞ぐ。
【０００８】
係合部７ａの根元にはフランジ１２が形成されている。このフランジ１２から中に向って浅い円筒１３が形成されている。これに対向してカップ状部材９の底部にも浅い円筒１４が形成されている。これら円筒部１３,１４の間には、圧縮されたスプリング１６が介挿されている。これにより、係合部７ａは外に向って付勢されている。
左側の係合部７ｂは、蓋１１の真ん中に単に突設されているだけである。即ち、蓋１１に固定である。断面の図示は略す。
【０００９】
腕時計を例にして商品の陳列手順を説明する。先ず、時計バンドの長さはスポンジシート９の外周長より少し短かめにしておく。掛金を外して時計バンドを緩め、支承部材１に外嵌する。それから掛金を掛ける。これで時計バンドがスポンジシート９の外周を締め付け、腕時計の回動が防止される。
次いで、左側の固定の係合部７ｂを左側ブラケット３の保持孔６に嵌入する。右側の後退可能な係合部７ａを押圧し、支承部材端部に向って後退させた状態で、この支承部材１を左右のブラケット３,４の間に挿入して行く。
【００１０】
このとき、後退した状態の係合部７ａを右側ブラケット４の保持孔方向に仕向けて行く。両者の位置が合致すれば、係合部７ａが保持孔６に嵌入される。これで支承部材１が前記一対のブラケット３，４に保持される。
なお、左側の係合部７ｂも後退可能にして構わない。こうすると、どっちが固定の係合部か、気にする必要が無くなる。
【００１１】
支承部材１を外したいときは、保持孔６に嵌入されている右側の係合部７ａを中に押し込む。そのままで、支承部材１の右端を前後上下、何れかに移動させる。これで係合部７ａが保持孔６から脱出し、支承部材１をブラケット３，４から外せる。
【００１２】
係合部７ａ，７ｂの形状は四角に限らない。三角でも五角でも構わない。これらも正確な多角形でなくても構わない。
スポンジシート９は付けておいた方が好ましいが必須では無い。付けない場合は、例えば時計バンドの外周長を円筒８の円周より僅かに短く設定する。これでも時計バンドの掛金を掛けたとき、時計バンドが円筒８を締め付け、腕時計は回動しない。
また、そもそも、支承部材に支承させたときのその商品の重心が、或る程度円筒の中心軸近くにあれば、単なるプラスチックの円筒であっても商品は回動しない。
円筒自体を少し弾力のある素材で形成しても良い。それでスポンジシートと似た効果が出せる。スポンジシートでなく、木綿の布などの滑りにくい素材を巻いても良い。
更には、支承部材１の言わば本体を円形にしなくても良い。楕円形にしても良く、三角、四角などの角形にしても良い。筒でなく中実の素材にしても良い。
【図面の簡単な説明】
【００１３】
【図１】陳列装置２０を示す斜視図。
【図２】陳列装置２０を示す右側面図。
【図３】支承部材１を示す斜視図。
【図４】右側の係合部７ａ周辺を中央で縦に切断して示す中央縦断面図。
【符号の説明】
【００１４】
１…支承部材
２…土台
３…左側ブラケット
４…右側ブラケット
６…保持孔
７ａ…右側係合部
７ｂ…左側係合部
８…円筒
９…スポンジシート
１０…カップ状部材
１１…蓋
１２…フランジ
１３…浅い円筒（蓋の）
１４…浅い円筒（カップ状部材の）
１６…スプリング
２０…陳列装置
【図１】
0003121160.tif 000003
【図２】
0003121160.tif 000004
【図３】
0003121160.tif 000005
【図４】
0003121160.tif 000006